(57)【特許請求の範囲】
【請求項１】
引戸１の壁面に固定されたグリップアームブラケット５０と、このグリップアームブラケットに固定支軸３４並びに可動軸３５を介して回転可能に軸支されたグリップアーム２６を有するプッシュプル式の棒状引手２５と、前記グリップアームに一体的に設けられ、かつ指先状当り部６３が引戸の壁面を貫通して引戸錠Ｘの鎌片係止片１２側へと延びると共に水平方向に回転可能な当り板６０と、この当り板の指先状当り部６３と係合する係合部６８及び前記鎌片係止片１２の係合アーム部１９と係合する係合部６７を有すると共に、前記当り板６０の水平運動を回転運動に変換することができるように壁面の裏側に設けられた鎌片係止片１２用の回転式引張り手段６５とから成る引戸錠のラッチング状態解除機構。
【請求項２】
請求項１に於いて、引戸１の壁面３８に長板状の取付け板４０が固定され、この取付け板４０の表面４０ａにはグリップアーム２６の先端部を収容するケース部４１が突設され、一方、取付け板の裏面４０ｂには引戸に形成した取付け孔３７に嵌合する嵌合部４４と、この嵌合部４４に連設する回転式引張り手段用の水平突起軸４５とが形成されていることを特徴とする引戸錠のラッチング状態解除機構。
【発明の詳細な説明】
【０００１】
【発明の属する技術分野】
本発明は、引戸錠のラッチング状態解除機構に関し、特に引戸錠に付設される棒状引手のグリップアームに組込まれ、かつ、引戸錠の係止片（ロック片）のラッチング状態を解除するのに適する引戸錠のラッチング状態解除機構に関する。
【０００２】
【従来の技術】
引戸に設けた引戸錠がラッチング（仮施錠）状態の場合に於いて、棒状引手を引き又は押してラッチング状態を解除し、直ちに当該棒状引手を利用して引戸を開くことが出来れば非常に便利である。
【０００３】
ところで、従来、回転式扉の内外の壁面にグリップアームを有する棒状引手をそれぞれ取付け、例えば室内側の棒状引手を手前に引くと、扉錠のラッチング状態が解除するもの（ラッチング状態解除機構）は公知である。
【０００４】
しかしながら、従来、引戸に「プッシュプル」と称される棒状引手を設けることは一般的に行われていないため、引戸に棒状引手を利用してラッチング状態を解除するという実施例は存在していない。
【０００５】
何故ならば、引戸の場合、普通一般に引戸の開放端部に取付けた凹所型引手を利用しているから、引戸を開く時、人差し指乃至薬指を引手の凹所内に差込み、望ましくは、それと同時に引手の凹所内に組み入れた可動操作レバーの指当り部に対して引戸の開く方向に力を入れると、引手に一体的に設けられたラッチング解除機構を介し、引戸錠の仮施錠状態が解消すれば十分である、と当業者間では認識されていたからである。
【０００６】
しかしながら、近年のように高齢化社会に突入し、特にバリアフリーの思想が普及しつつある時代では、引戸錠もその例外ではなく、バリアフリーの思想に基づき、「棒状引手を利用して引戸錠のラッチング状態を解除することができる機構（装置）」の出現が要望されるに至っている。
【０００７】
【発明が解決しようとする課題】
そこで、本発明は上述した時代背景に鑑み、まず、従来のグリップアームを有する棒状引手を利用することを前提にし、機構を構成する部品点数を極力低減化することを目的とする。次に、各部材を簡単に組み合わせることができることである。さらに、棒状引手を操作すると、合理的手段により、その動力を変換して引戸錠の鎌片係止片を動かし、ラッチング状態を確実に解除することができることである。
【０００８】
【課題を解決するための手段】
本発明の引戸錠のラッチング状態解除機構は、引戸１の壁面に固定されたグリップアームブラケット５０と、このグリップアームブラケットに固定支軸３４並びに可動軸３５を介して回転可能に軸支されたグリップアーム２６を有するプッシュプル式の棒状引手２５と、前記グリップアームに一体的に設けられ、かつ指先状当り部６３が引戸の壁面を貫通して引戸錠Ｘの鎌片係止片１２側へと延びると共に水平方向に回転可能な当り板６０と、この当り板の指先状当り部６３と係合する係合部６８及び前記鎌片係止片１２の係合アーム部１９と係合する係合部６７を有すると共に、前記当り板６０の水平運動を回転運動に変換することができるように壁面の裏側に設けられた鎌片係止片１２用の回転式引張り手段６５とから成ることを特徴とする。
【０００９】
【発明の実施の形態】
以下、図面を参照に本発明の一実施例を構成部材に区分けして説明する。
【００１０】
（１）発明の実施の環境
まず図１及び図２を参照に発明の実施の環境について説明する。Ｘは引戸錠で、この引戸錠Ｘは引戸１に取付けられている。一方、Ｙは戸枠２に取付けられた受金具で、この受金具Ｙはストライクと称される受板３を有する。次に４は錠ケース、５は錠ケースのフロントである。蓋板は省略する。錠ケース４内にはトリガー、鎌片、仮施錠機構等がそれぞれ設けられている。そして、引戸錠Ｘの仮施錠用係止片の係止状態（ラッチング状態）を解除するラッチング状態解除機構Ｚが錠ケース４に付設するように棒状引手のアームグリップに組込まれかつ、引戸１の内外の壁面にそれぞれ装着されている。
【００１１】
（２）トリガー，鎌片など
７は錠ケース４内に摺動自在に装着されたトリガーで、このトリガー７は、トリガーバネ８により常時突出方向に付勢されている。９は鎌片で、この鎌片９は、基部にピニオン１０を備える。ピニオン１０はトリガー７のラック１１に噛合している。したがって、トリガー７が錠ケース内に後退すると、鎌片９はストライク３と掛合状態となる。なお、錠ケース４は引戸１の内部空間に嵌め込まれている。
【００１２】
（３）仮施錠部材
仮施錠部材は、図１で示すように、鎌片９がストライク３と掛合状態となった瞬間に該鎌片９の被係合部（ラチェット歯）と係合する。そこで、掛合時、鎌片の自由な後退を阻止するために、鎌片係止片（ロック）１２が設けられている。例えば符号１２は鎌片９に形成したラチェット歯１３に係脱する係合爪部１４を有する仮施錠用係止片である。この係止片１２は横軸１５に案内されていると共に、付勢ばね１６により鎌片に係合する方向へ常時付勢されている。この鎌片係止片１２は、本実施例では、横軸１５を案内する垂直案内長孔を有する上杆部１７と、この上杆部１７に連設する水平杆部１８と、この水平杆部１８に垂下状態に連設しかつ錠ケース４の下壁４ａから突出する係合アーム部１９とから成る。
【００１３】
そして、係合アーム１９部の下端部には、後述する本発明の引張り手段（回転式レバー）６５が係合する被係合部（フック、係合孔、係合小突起、係合溝など）２０が形成されている。
【００１４】
（４）本発明の主要部
以上が本発明を理解するための補助材料（発明の実施の環境）である。そこで、図１乃至図６を参照に本発明の一実施例を説明する。なお、特に図示しないが、内外の棒状引手はペアーと成っている。
【００１５】
「棒状引手」…まず棒状引手２５について説明する。図１で示すように、引手２５は少なくとも両手で十分に握り締めることができる長さを有する円柱或いは角柱棒状体である。この棒状引手２５の上下端部或いは上下端部寄りの部位には、上下一対のグリップアーム２６，２６が一体的に突設されている。ここでは、上方のグリップアーム２６の構成について説明し、下方のグリップアームのそれについては形態が同一なので説明を割愛する。
【００１６】
さて、グリップアーム２６の形態に関しては、デザイン上色々と設計することができる。ここでは図５を参照にしてその一例を「人の手」に例えて説明する。２７はグリップアーム２６の外周面に固定された手首部、２８は手首部に連設する甲部、２９は甲部に連設する指の中関節相当部であり、人差し指ないし小指までの各指の先端部に相当する部分は存在しない。また３０は前記手首部２７ないし中関節相当部２９の上下端部にそれぞれ対向状態に設けられた上下の水平板部である。水平板部３０は、例えば右手の親指を多少内側に折り曲げたような格好（湾曲状）をしている。
【００１７】
グリップアーム２６は、図４で示すように先端部に、後述する断面逆コ字型のグリップアームブラケット５０の対向軸受板部５３が入り込む収納部３１を有している。また、水平板部３０の先端部寄りの部位には、固定支軸３４用の枢支孔３２が形成されており、さらに、水平板部３０の先端部には、可動軸３５用の軸孔３３が形成されている。
【００１８】
「取付け板とケース部」…次に取付け板４０とケース部４１について説明する。図１で示すように引戸１の外壁３８並びに内壁３９、本実施例では引戸１の外壁３８の開放端部に縦方向に固定される長板状の取付け板４０は、上下端部に矩形状の開口４２を有するケース部４１が設けられている。これらのケース４１部は、図４で示すように取付け板４１の表面４０ａから所要寸法突出し、かつ、グリップアーム２６の先端部を収容するのに十分な容積を有している。また、ケース部４１の垂直内壁（取付け板の上下端部の壁面に相当）には、グリップアームブラケット用の固着具５７が貫通する貫通孔４３が形成されている。
【００１９】
一方、取付け板４１の裏側４０ｂには引戸１に形成した取付け孔３７（錠箱の場合にはその錠箱に形成した取付け孔も含む。）を貫通する段差状の嵌合部４４が設けられ、嵌合部４４には水平突起軸４５が連設している。
【００２０】
さらに、取付け板４０の貫通孔４３付近には、後述する当り板６０が貫通する案内切欠部４６が横方向に形成されている。
【００２１】
「グリップアームブラケット」…グリップアームブラケット５０は、図４で示すように断面逆コ字型状に形成されている。図４を参照にしてグリップアームブラケット５０を説明すると、５１は固着具５７が螺合するメネジ５２を有する垂直板部、５３は垂直板部５１の上下端部からそれぞれ水平方向に延びた軸受板部、５４は軸受板部５３の先端部に形成され、かつ、グリップアーム２６の枢支孔３２と符合する固定枢軸用孔、５５は軸受板部５３の中央部或いは中央部寄りの部位に形成された可動軸用水平案内長孔である。
【００２２】
「当り板」…次に当り板６０について説明する。当り板６０は、複数個、本実施例では２個の取付け孔６１を有する幅広の添設部６２と、この添設部６２から取付け板４０の案内切欠部４６及び引戸１の切欠部３６を貫通して延びる指先状当り部６３とから成る。
【００２３】
しかして、当り板６０は、添設部６２がグリップアーム２６の上方水平板部３０とグリップアームブラケット５０の上方軸受板部５３との間に介在し、前記取付け孔６１をそれぞれ貫通する固定支軸３４と可動軸３５を介してグリップアーム２６に一体的に設けられている。したがって、当り板６０はグリップアーム２６と一緒に同方向へ水平回転する。
【００２４】
「引張り手段６５」…次に引張り手段６５の一例としての回転式レバーについて説明する。引張り手段６５は、図６で示すように、引戸錠Ｘ側の鎌片係止片１２の係合アーム部１９と棒状引手２５側の当り板６０の指先状当り部６３の両方に係合するように取付け板４０の上方水平突起軸４５に軸支されている。
【００２５】
回転式レバー６５は、水平突起軸４５に嵌合する嵌合孔を有するリング状部６６と、このリング状部６６の外周壁に一部にアングル状に設けられ、かつ、係合アーム部１９の被係合部（係合孔）２０内に入り込む係合部としての第１係合突起６７と、この第１係合突起６７を基準にすると、リング状部６６外周壁の略４５〜５５度の部位に設けられ、しかも該第１係合突起６７とは反対方向に指向する係合部としての第２係合突起６８とから成り、前記第２係合部（例えば凸、凹の当り面）６８は、当り板６０の指先状当り部６３に係合する。なお、水平突起軸４５には回転式レバー６５が外れないように押え板７０が固定的に嵌合している。
【００２６】
上記構成に於いて、図１及び図６を参照にして作用について説明する。棒状引手２５を矢印Ａ方向に押すと、グリップアーム２６と当り板６０は軸３４，３５を介して一体的に設けられているから、固定支軸３４を支点にして同方向（反時計方向）へ回転する。この時可動軸３５はグリップアームブラケット５０の水平案内長孔５５に案内される。そうすると、当り板６０が回転式レバー６５の第２係合突起６８を押すことになるので、回転式レバー６５は水平突起軸４５を基準にして矢印Ｂ方向（時計方向）へ回転する。
【００２７】
したがって、鎌片係止片１２は付勢バネ１６のバネ力に抗しながら回転式レバー６５の第１係合突起６７に引っ張られ、矢印Ｃ方向へと下降する。その結果、係止片１２の係合爪部１４が鎌片９のラチェット歯１３から離れる。そこで、棒状引手２５をそのまま利用しながら引戸１を開ける。なお、棒状引手２５から手を離すと、該棒状引手２５は図示しないグリップアーム用復帰バネないし前記付勢バネ１６のバネ力により元の位置へと戻る。
【００２８】
【実施例】
当り板６０は添設部６２を有し、グリップアームブラケット５０の上方軸受板部５３に重ねるように設けられているが、設計如何によっては、グリップアーム２６の先端部に当り板６０を一体成形しても良い。
また当り板６０の係合部としての指先状当り部６３を長くすると、回転式引っ張り手段６５の凸状又は凹状の係合面に当るので、引っ張り手段６５の第２係合突起６８は本発明の特定要件ではない（必ずしも第２係合突起６８に当らなくても良い）。
【００２９】
なお、部材の係合関係に関しては、説明の便宜上、「例えば係合突起」という用語を使用しているが、当業者を基準にすると、突起を凹所或いは切欠に設計変更することはきわめて容易になし得ることであるから、これらの設計変更事項は同一ないし均等の範囲内である。
【００３０】
【発明の作用・効果】
以上の説明から明らかなように、本発明にあっては、次に列挙するような効果がある。
（１）棒状引手を利用して引戸錠のラッチング状態を解除することができるので、バリアフリーという時代の要請に答えることができる。
（２）機構を構成する部品点数を極力低減化したので、製造の効率性、製造コストの安価性などの諸目的を達成することができる。
（３）棒状引手に各部材を簡単に組み合わせることができる。
（４）合理的手段により、棒状引手の駆動力を、引戸錠の鎌片係止片（ロック片）の上下動に変換してラッチング状態を確実に解除することができる。
【図面の簡単な説明】
図１ないし図６は、本発明の一実施例を示す各説明図。
【図１】発明の実施形態の一例を示す概略説明図。
【図２】受け金具との位置関係を示す概略説明図。
【図３】主要部の斜視図。
【図４】主要部の概略断面説明図。
【図５】主要部の分解斜視図。
【図６】作動態様の概略説明図。
【符号の説明】
Ｘ…引戸錠、Ｙ…受金具、Ｚ…ラッチング状態解除機構、１…引戸、２…戸枠、３…ストライク、４…錠ケース、５…フロント、７…トリガー、９…鎌片、１０…ピニオン、１１…ラック、１２…鎌片係止片、１３…被係合部、１４…係合爪部、１５…付勢バネ、１９…係合アーム部、２０…被係合部、２５…棒状引手、２６…グリップアーム、３０…水平板部、３２…枢支孔、３３…軸孔、３４…固定支軸、３５…可動軸、４０…取付け板、４１…ケース部、４２…開口、４３…貫通孔、４５…水平突起軸、４６…案内切欠部、５０…グリップアームブラケット、５１…垂直板部、５２…メネジ、５３…軸受板部、５４…固定支軸用孔、５５…可動軸用水平案内長孔、６０…当り板、６１…取付け孔、６２…添設部、６３…指先状当り部、６５…引張り手段、６６…リング状部、６７…第１係合突起、６８…第２係合突起、７０…押え板。
【図１】
0004303897.tif 000002
【図２】
0004303897.tif 000003
【図３】
0004303897.tif 000004
【図４】
0004303897.tif 000005
【図５】
0004303897.tif 000006
【図６】
0004303897.tif 000007